(57)【要約】【課題】レバー式の操作の場合にレバーの上げ過ぎを阻止し、必要以上の無駄な放水を阻止し節水を計る。【解決手段】レバー式の支柱に鉤形支柱を取付け、鉤形支柱にU字形回転板を左右回転自在に取付け、U字形回転板をレバーに嵌めて合体させ、レバーの左右回転に従ってU字形回転板を左右回転自在にする。U字形回転板とレバーの間に空間を設けレバーを上下移動自在にする。U字形回転板の先端に調整つまみを取付け、調整つまみによりレバーの停止の位置を設定させる。【選択図】図１
2011089254.tif 000002
【特許請求の範囲】
【請求項１】
レバー式の支柱（１）に鉤形支柱（４）をネジ付バンド（２）で固定をする。鉤形支柱（４）の上部にU字形回転板（５）を軸ピン（６）で接続し、該U字形回転板（５）を左右回転自在にし、該U字形回転板（５）をレバー（１０）に嵌めて合体させ、該レバー（１０）の左右回転に従って該U字形回転板（５）を左右回転自在にする。該U字形回転板（５）と該レバー（１０）の間に空間（１２）を設け該レバー（１０）を上下移動自在にする。該U字形回転板の先端にネジ穴を開け、ネジ穴にネジボート（７）を浸入させ、該ネジボート（７）の上部に調整つまみ（８）を取付け、該調整つまみ（８）を回転させ該ネジボート（７）を上下移動自在にする。該ネジボート（７）の下部にゴム（９）を取付け、該レバー（１０）を上に上げた際に該ゴム（９）に当たり該レバー（１０）を停止させる、徳する節水機。
【発明の詳細な説明】
【技術分野】
【０００１】
本発明は、蛇口のレバーの装置に関するものである。
【背景技術】
【０００２】
従来のレバー式は、手洗い、洗顔、流し洗の時にレバーを上に上げ過ぎて余分に放水させる場合が多々ありえるので大変なる不経済である。放水時にレバーを上げ下げして適量にする操作の時間と同時に水のムダ使い。レバーを全開にすると水圧により水が流し台に当たり周囲に水が飛び散る場合がありえるので拭き取りの作業が大変である。
【０００３】
本発明は、レバー式の蛇口に取付けてレバーの移動範囲を定めて放水量を安定化する。
【発明の概要】
【発明が解決しようとする課題】
【０００４】
本発明は、上記の問題点に鑑み、水の節約、放水中にレバーの操作の減少、周囲に散乱した水の拭き取りの作業を減少させる事を提供せんとするものである。
【課題を解決するための手段】
【０００５】
支柱に鉤形支柱をネジ付バンドで取付け、鉤形支柱にU字形回転板を軸ピンで接続し、U字形回転板を左右回転自在にし、U字形回転板をレバーに嵌めて合体させ、レバーの左右回転に従ってU字形回転板を左右回転自在にする。U字形回転板とレバーの間に空間を設けレバーを上下移動自在にする。U字形回転板の先端にネジ穴を開け、ネジ穴にネジボートを浸入させ、ネジボートの上部に調整つまみを取付け、調整つまみを回転させネジボートを上下移動自在にする。ネジボートの下部にゴムを取付け、レバーを上に上げた際にゴムに当たりレバーを停止させる。
【発明の効果】
【０００６】
各家庭が本発明を利用した場合には、莫大なる資源（水）の確保。放水中にレバーの操作を減少。周囲に散乱した水の拭き取りの減少。消費者とつては経済的である。
【発明を実施するための最良の形態】
【０００７】
構造が簡単なのでコストを抑えられるので実施に有利である。消費者に求められる。
【実施例１】
【０００８】
レバーを上に上げ放水させ調整つまみを右回転させると、ゴムがレバーに当たりレバーを押し下げ、放水の適量の位置で回転停止。レバーを回転するとレバーに従ってU字形回転板が回転し水〜湯〜水〜湯に切り換える。レバーを下げて断水、更に、レバーを上げてゴムに当ると前回の水量で放水される。調整つまみを左回転させてゴムを上げゴムとレバーが接触しない位置まで上げレバーを上限に上げるとレバーが全開する。
【産業上の利用可能性】
【０００９】
構造が簡単なので実施に有利である、また、付加製品なので中小企業の生産には最適である。
【図面の簡単な説明】
【００１０】
【図１】本発明のレバーを上に上げた状態を示した側面図である。
【図２】本発明の一部を省略しレバーを下に下げた状態を示した正面図である。
【符号の説明】
【００１１】
１・・支柱                        ７・・ネジボート
２・・ネジ付バンド                ８・・調整つまみ
３・・ネジ                        ９・・ゴム
４・・鉤形支柱                  １０・・レバー
５・・U字形回転板              １１・・放水管
６・・軸ピン                    １２・・空間
【図１】
2011089254.tif 000003
【図２】
2011089254.tif 000004
【手続補正書】
【提出日】平成21年12月10日(2009.12.10)
【手続補正１】
【補正対象書類名】明細書
【補正対象項目名】全文
【補正方法】変更
【補正の内容】
【発明の詳細な説明】
【技術分野】
【０００１】
本発明は、蛇口のレバーの装置に関するものである。
【背景技術】
【０００２】
従来のレバー式は、手洗い、洗顔、流し洗の時にレバーを上に上げ過ぎて余分に放水させる場合が多々ありえるので大変なる不経済である。放水時にレバーを上げ下げして適量にする操作の時間と同時に水のムダ使い。レバーを全開にすると水圧により水が流し台に当たり周囲に水が飛び散る場合がありえるので拭き取りの作業が大変である。
【０００３】
本発明は、レバー式の蛇口に取付けてレバーの移動範囲を定めて放水量を安定化する。
【発明の概要】
【発明が解決しようとする課題】
【０００４】
本発明は、上記の問題点に鑑み、水の節約、放水中にレバーの操作の減少、周囲に散乱した水の拭き取りの作業を減少させる事を提供せんとするものである。
【課題を解決するための手段】
【０００５】
支柱に鉤形支柱をネジ付バンドで取付け、鉤形支柱にU字形回転板を軸ピンで接続し、U字形回転板を左右回転自在にし、U字形回転板をレバーに嵌めて合体させ、レバーの左右回転に従ってU字形回転板を左右回転自在にし、U字形回転板とレバーの間に空間を設けレバーを上下移動自在にし、U字形回転板の先端にネジ穴を開け、ネジ穴にボルトを嵌め、ボルトの上部に調整つまみを取付け、調整つまみを回転させボルトを上下移動自在にし、ボルトの下部にゴムを取付け、レバーを上に上げた際にゴムに当たりレバーを停止させる。
【発明の効果】
【０００６】
各家庭が本発明を利用した場合には、莫大なる資源（水）の確保。放水中にレバーの操作を減少。周囲に散乱した水の拭き取りの減少。消費者にとっては経済的である。
【発明を実施するための最良の形態】
【０００７】
構造が簡単なのでコストを抑えられるので実施に有利である。消費者に求められる。
【実施例１】
【０００８】
レバーを上に上げ放水させ調整つまみを右回転させると、ゴムがレバーに当たりレバーを押し下げ、放水の適量の位置で回転停止。レバーを回転するとレバーに従ってU字形回転板が回転し水〜湯〜水〜湯に切り換える。レバーを下げて断水、更に、レバーを上げてゴムに当ると前回の水量で放水される。調整つまみを左回転させてゴムを上げゴムとレバーが接触しない位置まで上げレバーを上限に上げるとレバーが全開する。
【産業上の利用可能性】
【０００９】
構造が簡単なので実施に有利である、また、付加製品なので中小企業の生産には最適である。
【図面の簡単な説明】
【００１０】
【図１】本発明のレバーを上に上げた状態を示した側面図である。
【図２】本発明の一部を省略しレバーを下に下げた状態を示した正面図である。
【符号の説明】
【００１１】
１・・支柱                        ７・・ボルト
２・・ネジ付バンド                ８・・調整つまみ
３・・ネジ                        ９・・ゴム
４・・鉤形支柱                  １０・・レバー
５・・U字形回転板              １１・・放水管
６・・軸ピン                    １２・・空間
【手続補正２】
【補正対象書類名】特許請求の範囲
【補正対象項目名】全文
【補正方法】変更
【補正の内容】
【特許請求の範囲】
【請求項１】
レバー式の支柱（１）に鉤形支柱（４）をネジ付バンド（２）で固定をし、
鉤形支柱（４）の上部にU字形回転板（５）を軸ピン（６）で接続し、該U字形回転板（５）を左右回転自在にし、該U字形回転板（５）をレバー（１０）に嵌めて合体させ、該レバー（１０）の左右回転に従って該U字形回転板（５）を左右回転自在にし、
該U字形回転板（５）と該レバー（１０）の間に空間（１２）を設け該レバー（１０）を上下移動自在にし、
該U字形回転板の先端にネジ穴を開け、ネジ穴にボルト（７）を嵌め、該ボルト（７）の上部に調整つまみ（８）を取付け、該調整つまみ（８）を回転させ該ボルト（７）を上下移動自在にし、
該ボルト（７）の下部にゴム（９）を取付け、該レバー（１０）を上に上げた際に該ゴム（９）に当たり該レバー（１０）を停止させる、節水機。